Podtech/llm-jp-corpus-v4-ja_patent huggingface dataset:
(57)【要約】【課題】  櫛とはさみを使用して毛を切る場合、櫛ですくった毛を指で挟み固定した後に櫛をはさみに持ち替えて切断するのであるが、この方法は持ち替えの面倒がある。また自分自身の散髪を行う場合は両手の位置関係が把握しづらくはさみで指を傷つける危険性があった。毛を切る作業における動作の円滑性および安全性を向上させたはさみを提案する。【解決手段】  はさみの軸に櫛を回転自在に結合する。櫛は保持部の幅を、はさみを閉じた状態における指穴同士の離隔に近似させて形成する。櫛歯の並ぶ歯元部より指添接部材を突きだして形成する。これらの形成により、はさみと櫛の持ち替えをなくし安全に毛を切ることが可能となる。【選択図】  図１
2006167410.tif 000002
【特許請求の範囲】
【請求項１】
はさみの軸に櫛を回転自在に結合し、はさみを閉じた状態における指穴同士の離隔に櫛の保持部の幅を近似させ、櫛の歯が並ぶ歯元部より指添接部材を突きだして形成していることを特徴とするはさみ。
【請求項２】
はさみの軸に櫛を回転自在に結合し、はさみを閉じた状態における指穴同士の離隔に櫛の保持部の幅を近似させていることを特徴とするはさみ。
【発明の詳細な説明】
【技術分野】
【０００１】  本発明は毛を切るはさみに関する。
【背景技術】
【０００２】  櫛とはさみを使用して毛を切る際は、櫛ですくった毛を手指で挟んで固定した後に、櫛をはさみに持ち替えて切断していた。
【発明の開示】
【発明が解決しようとする課題】
【０００３】  櫛とはさみの持ち替え手間をなくし一連の動作で毛を切る。
【課題を解決するための手段】
【０００４】  はさみの軸に櫛を回転自在に結合する。櫛は保持部の幅を、はさみを閉じた状態における指穴同士の離隔に近似させて形成する。櫛の歯の並ぶ歯元部より指添接部材を突きだして形成する。
【発明の効果】
【０００５】  はさみの軸に櫛を結合させ、櫛の保持部の幅をはさみの指穴の離隔に近似して形成することで、はさみに指を入れて櫛とはさみを同時に支持した時、櫛とはさみは離れた２箇所で固定される構造となる。すなわち、はさみは閉じられた状態のまま櫛に沿って一体化し極めて安全である。
次に櫛で毛をすくって他方の手指ではさむ際、櫛の歯元から形成された指添接部材を毛と一緒にはさみこむ。この時、櫛は両手で保持しているのでそれぞれの手はぐらつかず安定する。自身の散髪の際には特に効果的である。
はさみを開く際は、櫛は片手で支持されるが、この際にもはさみの回転軸に櫛が連結されているため毛とはさみの位置関係は変わることがなく両者の安定は保たれる。また、手指とはさみの間に櫛が介在する構造となり毛を切る際にも手指は櫛に守られて安全である。指添接部材は本発明の場合、毛を保持する効果だけでなく櫛とはさみを軸で結合させた作用により毛をはさみに対して自動的に配置する効果をあわせ持つ。
よって本発明によれば、毛をすくえばすぐに切る作業に移行でき、かつ安全性が高まる利点がある。また、両手の位置関係の把握が難しいためこれまで困難であった自身の散髪も容易に行える利点がある。
【発明を実施するための最良形態】
【０００６】  櫛とはさみの結合が点結合の場合は毛をすくってはさみを開く際、毛をはさみの外側に押しやろうとする力がはたらき、他方の手指で毛を挟んでいても毛に腰がなくて柔らかい場合には毛がはさみの刃内側に残らないおそれがある。より望ましい形態は一点結合としないで、櫛に長穴などを開けることによりはさみが櫛に沿って移動できるようにすることである。こうすれば毛と櫛を手指で支持した後に、はさみを櫛歯の外側にずらしてから開くことができるので挟んだ毛を確実に切ることができる。
指添接部材ははさみを結合する櫛面とは反対側の面に、歯の並ぶ歯元部から歯面と直角方向に歯並びに沿って薄く突きだして形成するとよい。部材の長さは歯が並んでいる長さに等しくして形成してもよいし、櫛の先端部だけに形成してもよい。また、指添接部材の形状は薄い板状のものでなくて指をはめ込めるようなリング状のものであってもよい。
【０００７】  以上は一般的な平たい櫛の場合で述べてきたが以下に示す形態のものも違った効果をもたらす。平たい櫛の保持部を片側に厚く形成して、あるいは平たい櫛を２度折り曲げて左官ごてのように形成して、保持部にはさみを結合した場合には、はさみの刃と櫛歯の間に手指を入れて毛をはさむ空間を作り出すことができる。この空間に手指を入れて毛を挟みカットする場合の構成を述べる。
指添接部材を形成する時は櫛歯の歯元部よりこの空間に突きだして形成する。他人の散髪を行う場合には指添接部材は必ずしも形成しなくともよい。ひとつには両手の位置関係が視認できるからであり、一方、毛は櫛の外側で手指によりつかまえられていて、はさみを開いた際にも櫛は毛に支持されて安定するからである。
この形態では櫛が毛をすくいやすい利点があり、かつ手指で毛をはさむ際、平たい櫛の場合には手指を櫛の裏に差し込むための余裕空間が必要となるのに対し、櫛の上に置くだけでいいので必要な空間が少なくできる利点があり、毛を短くカットするのに好適である。
【図面の簡単な説明】
【０００８】
【図１】  斜視図である。
【図２】  はさみを上にした時の正面図である。
【図３】  ア−ア  断面図である。
【図１】
2006167410.tif 000003
【図２】
2006167410.tif 000004
【図３】
2006167410.tif 000005
(57)【要約】【課題】温度及び湿度の自然調節が可能で、結露現象を防止することができ、防虫及び脱臭の効果が優れており、大気への露出時保存力(耐酸化性）と耐密度に優れたつぼ形態の納骨箱を提供する。【解決手段】つぼ形態の本体(Ｂ)及び蓋（Ａ）とからなり、前記本体(Ｂ)及び蓋（Ａ）の主成分が楮のパルプに耐密度増進剤の玉と粘液剤の海草糊とを添加した混合物からなり、前記本体(Ｂ)及び蓋（Ａ）の表面が天然糊によってコーティングされてなることを特徴とする温度及び湿度の調節機能に優れた納骨箱。【選択図】図 1
2006167434.tif 000002
【特許請求の範囲】
【請求項１】
つぼ形態の本体(Ｂ)及び蓋（Ａ）とからなり、前記本体(Ｂ)及び蓋（Ａ）の主成分が楮のパルプに耐密度増進剤の玉と粘液剤の海草糊とを添加した混合物からなり、前記本体(Ｂ)及び蓋（Ａ）の表面が天然糊によりコーティングされてなることを特徴とする温度及び湿度の調節機能に優れた納骨箱。
【請求項２】
天然糊が膠又は海草糊であることを特徴とする請求項１記載の温度及び湿度の調節機能に優れた納骨箱。
【請求項３】
前記本体(Ｂ)及び蓋（Ａ）が天然染料で彩色されてなるか、又は模様が描かれてなることを特徴とする請求項１記載の温度及び湿度の調節機能に優れた納骨箱。
【請求項４】
前記本体(Ｂ)及び蓋（Ａ）が芳香処理されてなることを特徴とする請求項１記載の温度及び湿度の調節機能に優れた納骨箱。
【発明の詳細な説明】
【技術分野】
【０００１】
本発明は、温度及び湿度の調節機能に優れた納骨箱に関するものであり、より具体的には、韓紙（Ｋｏｒｅａｎ  Ｔｒａｄｉｔｉｏｎａｌ  Ｐａｐｅｒ）の材料である楮のパルプに耐密度増進剤の玉と粘液剤の海草糊とを添加した混合物（紙糊、紙粥)から製造され、自然に温度及び湿度の調節が可能で、且つ防虫及び脱臭の効果だけでなく、大気露出時の保存力及び耐密度に優れた納骨箱に関するものである。
【背景技術】
【０００２】
従来の納骨箱は、主に純銅、陶器、玉、大理石等から製造されるので、時間の経過につれて結露現象が起きて、納骨箱の内部に露が発生したり、水が染み込んだりして、内部に保管中の遺骨が腐敗し、黴が生えて虫が棲息したりして、悪臭が発生する問題があった。
【０００３】
特に、純銅から製造した従来の納骨箱の場合、大気中に長期間露出されると、酸化作用により納骨箱の表面が変質する問題も発生した。
【０００４】
本発明の目的は、このような従来の納骨箱のいろいろな問題点を解決するために、韓紙（楮のパルプ）を主成分とし、その表面を天然糊によりコーティングしたつぼ形態の納骨箱を提供することである。
【発明の開示】
【発明が解決しようとする課題】
【０００５】
本発明は、温度及び湿度の自然調節が可能で、結露現象を防止することができ、防虫及び脱臭の効果が優れており、大気への露出時保存力(耐酸化性)と耐密度に優れたつぼ形態の納骨箱を提供するものである。
【０００６】
このために、本発明では韓紙の材料である楮のパルプを主成分として使用した納骨箱を製造する。
【課題を解決するための手段】
【０００７】
このような課題を達成するための本発明の納骨箱は、つぼ形態の本体(Ｂ)及び蓋（Ａ）とからなり、前記本体(Ｂ)と蓋（Ａ）の主成分が楮のパルプに耐密度増進剤の玉と粘液剤の海草糊とを添加した混合物からなり、前記本体(Ｂ)及び蓋（Ａ）の表面が天然糊によりコーティングされてなることを特徴とする。
【発明の効果】
【０００８】
本発明の納骨箱は、温度及び湿度を自然に調節することができるので、結露現象を防止できるだけでなく、防虫及び脱臭の効果にも優れており、遺骨を最初の状態のままで永く保管することができるという効果を奏する。
【０００９】
また、本発明の納骨箱は、大気中に露出したときでも、表面の変質を效果的に防止でき、耐密度も優れる長所を有する。
【発明を実施するための最良の形態】
【００１０】
以下、本発明を添付した図面等を通して説明する。
【００１１】
本発明は、図1のように、つぼ形態の本体(Ｂ)及び蓋（Ａ）とから構成される。図１は、本発明による納骨箱の斜視写真である。
【００１２】
本発明の納骨箱を構成する本体(Ｂ)及び蓋（Ａ）は楮のパルプに玉と粘液剤の海草糊を添加して製造した混合物からなる。
【００１３】
より具体的には、本発明による納骨箱の材質は、主成分である楮のパルプに 耐密度増進剤の玉と粘液剤の海草糊を添加した混合物である。
【００１４】
また、本発明による納骨箱は、その表面が天然糊によってコーティングされている。前記天然糊は阿膠または海草糊である。
【００１５】
また、本発明による納骨箱の表面には、天然染料で彩色することもでき、模様を描き込むこともでき、乾燥処理する時に芳香処理することもできる。
【００１６】
本発明は、上記のように、韓紙の材料である楮のパルプが主成分であるので、温度及び湿度を自然に調節することができ、結露現象を防止することもできるだけでなく、防虫及び脱臭の効果が優れている。
【００１７】
また、本発明による納骨箱は、玉を含有しているので、耐密度も優れている。
【００１８】
本発明の納骨箱を製造する方法の一例を詳細に説明すると、まず主成分である楮のパルプを練りやすいように細かく切断する。
【００１９】
次に、細かく切断された楮のパルプに耐密度増進剤の玉と粘液剤の海草糊を添加・混合してから練る。
【００２０】
この時、楮のパルプ１００重量部に対して、玉は５〜２０重量部、海草糊は３０〜６０重量部を添加混合することが好ましい。
次に、練った混合物を揉んで棒形状に作ってから、これらを積み上げて、所望の形態に成形したり、発泡スチレン（ｓｔｙｒｏｆｏａｍ）などの成形材料に練った混合物を張る方法等によって所望の形態に成形する。
【００２１】
次に、成形した製品を乾燥した後、天然糊を用いて表面をコーティングして、本発明の納骨箱を製造する。また、乾燥段階で芳香処理して芳香機能を与えることがより好ましい。
【００２２】
また、乾燥処理した納骨箱の表面を天然染料を用いて彩色したり、模様を描き込んだりすることもできる。
【００２３】
本発明において、納骨箱の大きさ、厚さ及び色相は特に限定するものではない。
【産業上の利用可能性】
【００２４】
本発明は納骨箱に好適である。
【図面の簡単な説明】
【００２５】
【図１】本発明による納骨箱の斜視写真である。
【符号の説明】
【００２６】
Ａ：蓋                
Ｂ：本体
【図１】
2006167434.tif 000003
(57)【要約】【課題】模範となる写真を、たとえ同系色でも植物等のすこしずつ異なる材料で作成するジグソーパズルがあると、パズル組合せの楽しみと、個人の個性が発揮できないかと考えた。【解決手段】ジグソーパズルのピースが、合成樹脂もしくは、琥珀等によりコーティングされた植物の葉、花、皮、幹、枝、根、および石、鉱物などの自然物で構成されている、ジグソーパズルである。ジグソーパズルのピースは同型でもよく、三角形、四角形、五角形、六角形など、大きさも異なる多角形を、同一パズル内の構成型とする。【選択図】図１
2006167412.tif 000002
【特許請求の範囲】
【請求項１】
ジグソーパズルのピースが、合成樹脂もしくは、琥珀等によりコーティングされた植物の葉、花、皮、幹、枝、根、および石、鉱物などの自然物で構成されている、ジグソーパズルである。
【請求項２】
ジグソーパズルのピースは同型でもよく、三角形、四角形、五角形、六角形など、大きさも異なる多角形を、同一パズル内の構成型とする。
【請求項３】
ジグソーパズルのピースを作成するとき、絵や写真を目的完成品として、自然物である植物等の色の、葉、花、皮、幹、枝、石、鉱物等を下地の透明シートの材料に貼り付ける場合、コンピューターの色素入力装置を使用し、パズルに使用する数々の葉、花、皮、幹、枝、石等のサンプルの色素をコンピューターに分類入力する。
それを色素分類のコンピューター処理をして、より原画に近い色に分類した植物等の貼り付け場所を、番号出力したシートを出力し、番号のミリ単位の三角形、四角形、五角形、六角形、円形、円形の分割形、などの植物等の細かいモザイク片を貼り付けする。
【発明の詳細な説明】
【技術分野】
【０００１】  本発明は、ジグソーパズルに関するものである。
【背景技術】
【０００２】  従来、ジグソーパズルは厚紙または薄い板に絵や写真を印刷し、これを不規則に切り離し、その断片を合わせて元の絵に復元する遊びである。
近年、可変印刷、立体印刷と称する印刷物が多種提供されている。
【発明の開示】
【発明が解決しようとする課題】
【０００３】  ジグソーパズルは厚紙または薄い板に絵や写真を印刷しているが、元の絵に復元することの楽しみを主としているので、完成画像はすべて、絵の印刷や写真の印刷物である。
このことは、作成者の個性が出現していないことになる。
個人が絵を描くときには、たとえ、同系色でも、微妙に個人個人異なり、個性が生き生きとしている。
ジグソーパズルの完成品の絵や模範となる写真をジグソーパズルで完成する場合でも、完成したジグソーパズルでも個人の個性が十分発揮できないかと考えた。
これを解決するため発明したものである。
【課題を解決するための手段】
【０００４】  ジグソーパズルの完成品の絵や模範となる写真を基に、ジグソーパズルで完成する場合、自然物の材料を使用することにより、印刷と異なり、同系色でも材料となる植物の葉等の微妙な色、模様等の異なりにより、また自然物の材料を使用することにより、完成したジグソーパズルは、個人の個性が十分発揮でき、装飾効果も高まると考えた。
ジグソーパズルのピース面が、写真や印刷でなく、合成樹脂もしくは、琥珀等によりコーティングされた植物の、葉、花、皮、幹、枝、根、および石、鉱物などの自然物で構成されている、ジグソーパズルが本発明品である。【０００５】  このジグソーパズルのピースの形は同型を少し変化させてピース構成を楽しむ従来の方法でもよいが、三角形、四角形、五角形、六角形など、大きさも異なる多角形を、同一パズル内の構成型とするのが特徴である。
難易度により、形、数が極めて多種に作成できる。
三角形、四角形、五角形、六角形など、異なる多角形を基本とするのは、ジグソーパズルの完成品がより絵画的な装飾効果をも高めるためである。また、ステンドグラス的な装飾効果も期待できる。
【発明の効果】
【０００６】  色彩豊かな自然物である植物の、葉、花、皮、幹、枝、根などの自然色をそのまま使用するこの発明品は、自然のエネルギーを取り入れていると感じる、装飾効果が高いものとなる。また、石、鉱物などの自然物もその装飾効果をさらに引き出す。
【発明を実施するための最良の形態】
【０００７】  本発明の実施の形態はつぎのとおりである。
絵や写真を目的完成品として、三角形、四角形、五角形、六角形など、大きさも異なる多角形の枠内を区分形成したものを、従来のジグソーパズルと同様に組む合わせ完成する。
【実施例１】
【０００８】  はじめに目的完成品の絵や構図を形成するのであるが、この発明品の最大の特徴である、パズルのピースが、合成樹脂もしくは、琥珀等によりコーティングされた、植物の葉、花、皮、幹、枝、根、および石、鉱物などの自然物で構成されているのである。
色彩豊かな自然物である植物の、葉、花、皮、幹、枝、石、鉱物等を絵の具のごとく私用して、パズルとして分割した透明シートの三角形、四角形、五角形、六角形、円形、円形の分割形、などなど、大きさも異なる多角形の枠内の透明シートにサンドイッチ状に組み入れ貼り付けてパズルのピースが完成する。【０００９】  パズルとして分割する前に、サンドイッチ状にした透明シートに色彩豊かな自然物である植物の葉、花、皮、幹、枝、石、鉱物等を絵の具のごとく貼り付けてから、三角形、四角形、五角形、六角形、円形、円形の分割形、などなど、大きさも異なる多角形の枠のパズルを区分形成してしてもよい。【００１０】  透明シートの材料としては、ポリ塩化ビニール、ポリカーボネート、ポリエステル、アクリル樹脂、ポリスチレン、ポリプロピレン、ポリエチレン、ＡＢＣ樹脂などの透明あるいは半透明のタイプの化学合成物を用いる。また、琥珀、石英などの透明あるいは半透明のタイプの鉱物を用いる方法でもよい。
【実施例２】
【００１１】  絵や写真を目的完成品として、自然物である植物の、葉、花、皮、幹、枝、石、鉱物等を下地の透明シートの材料に貼り付ける場合、コンピューターの色素入力装置を使用し、パズルに使用する数々の葉、花、皮、幹、枝、石等サンプルの色素をコンピューターに入力する。それを色素分類のコンピューター処理をして、より原画に近い色分類した植物等の貼り付け場所を、番号出力したシートを出力し、番号のミリ単位の四角形、円形の分割形等の植物等の細かいモザイク片を貼り付けする方法も楽しめる。
モザイク片を分類する場合、１２３４５６７８９ＡＢＣＤＥＦＧＨＪＫＬＭＮＯＰＱＲＳＴＵＶＷＸ
2006167412.tif 000003
い。
【図面の簡単な説明】
【００１２】
【図１】本発明品三角形、四角形、五角形、六角形区分実施形態図
【図２】本発明品四角形貼り付け場所実施形態図
【図３】本発明品四角形円形貼り付け場所実施形態図
【図４】本発明品四角形貼り付け番号（一部貼り付け番号記載）実施形態図
【図５】本発明品四角形及び円形貼り付け番号（一部貼り付け番号記載）実施形態図
【符号の説明】
【００１３】    １  貼り付け場所番号
２  貼り付け場所番号（斜線が貼り付ける場所である。番号位置により区分する）
【図１】
2006167412.tif 000004
【図２】
2006167412.tif 000005
【図３】
2006167412.tif 000006
【図４】
2006167412.tif 000007
【図５】
2006167412.tif 000008
(57)【要約】【課題】  現代人は特に時間に追われ定期的な排便の機会を逃がしがちから慢性便秘になることや、腰痛に悩んでいたり女性に関しては生理時に、下腹部痛、頭痛や全身の倦怠感など不快な症状があらわれやすくなります。  そこで、簡単に装着でき痛みの緩和や通便の改善を課題とする。【解決手段】  以上の課題を解決するために、ズボンやスカートのウエスト周りならどこえでも上から挟み込む事により、簡単装着しウエスト周りにあるツボや内臓を日常生活で常時刺激することで、慢性便秘の改善や、腰痛や生理痛の緩和をする。【選択図】          図１
2006167413.tif 000002
【特許請求の範囲】
【請求項１】
ズボンやスカートのウエスト部分のどこえでも、上から挟み込む事により、簡単装着し常時ウエスト周りのツボや内臓を刺激することで慢性便秘の改善、及び腰痛や生理痛を緩和する健康器具。
【発明の詳細な説明】
【技術分野】
【０００１】  この発明は、ズボンやスカートのウエスト周りならどこえでも簡単に装着できる健康器具に関する。
【発明の開示】
【発明が解決しようとする課題】
【０００２】  現代人は特に時間に追われ定期的な排便の機会を逃がしがちから慢性便秘になることや、腰痛に悩んでいたり女性に関しては生理時に、下腹部痛、頭痛や全身の倦怠感など不快な症状があらわれやすくなります。
そこで、この発明は、ズボンやスカートのウエスト周りならどこえでも簡単に装着でき痛みの緩和や通便の改善を課題とする。
【課題を解決するための手段】
【０００３】  以上の課題を解決するために、第一発明は、ズボンやスカートのウエスト周りならどこえでも上から挟み込む事で簡単装着し、ウエスト周りにあるツボ（大腸兪、腎兪、開元、天枢）や内臓を日常生活で常時刺激する事により、慢性便秘の改善や、腰痛や生理痛の緩和を特徴とする。
【発明の効果】
【０００４】  第一発明によれば、ウエスト周りにあるツボや内臓を日常生活で常時刺激することで、慢性便秘の改善、腰痛や生理痛の緩和をする。
【発明を実施するための最良の形態】
【０００５】この発明の一実施形態を、図１に示す。【０００６】「実施形態の効果」
この実施形態によれば、図１の符号１の溝部をズボンやスカートのウエスト周りに上から挟み込む事により、半筒状の図１の符号２の形状が日常生活で、身体のウエスト周りにあるツボ（大腸兪、腎兪、開元、天枢）や内臓を常時刺激する。
【実施例】
【０００７】  図１の符号１の溝部分をズボンやスカートのウエスト周りに上から挟み込み図１の符号２の半筒状部が身体に刺激をあたえるよう装着する。
【図面の簡単な説明】
【０００８】
【図１】この発明の一実施形態を示す不等角投影図である。
【図２】この発明形状を第三角法の三面図で示す。
【符号の説明】
【０００９】      １  ズボンやスカートのウエスト周りに上から挟み込む為の溝。
２  身体に刺激をあたえる為の半筒形状突起。
【図１】
2006167413.tif 000003
【図２】
2006167413.tif 000004
(57)【要約】【課題】使用後の哺乳びんに付着したミルクカスを簡単、迅速、確実に洗浄するための洗浄具を提供することである。【解決手段】ポリエステルフイルムの平線を凹凸状に編んだ生地でポリエステル綿等を包んだ、含水性及び弾性を有する洗浄体に、取り出し用の細い紐を取り付け、紐のもう片方の端に吊り輪を設ける。かかる洗浄体を、哺乳びん・食器洗い（洗剤）と共に哺乳びんの中に入れて哺乳びんを激しく振ることで洗浄体の圧縮、復元運動による洗剤の泡生成を促し、多量に生成された泡が哺乳びんと乳首内部に充満して、付着したミルクカスを落とすように構成する。【選択図】図１
2006167419.tif 000002
【特許請求の範囲】
【請求項１】
ポリエステルフィルムの平線を凹凸状に編んだ生地でポリエステル綿等を包んだ含水性及び弾性を有する洗浄体に、取り出し用の細い紐を取り付け、紐のもう片方の端に吊り輪を設けたことを特徴とする哺乳びんの洗浄具。
【請求項２】
上述した洗浄体を、哺乳びん・食器洗い（洗剤）と共に哺乳びんの中に入れて哺乳びんを振ることで洗浄体の圧縮、復元運動による泡生成を促し、多量に生成された泡を哺乳びんと乳首内部に充満させて、付着したミルクカスを落とすことを特徴とする請求項１に記載の哺乳びんの洗浄具。
【発明の詳細な説明】
【技術分野】
【０００１】本発明は、使用後の哺乳びん内部に付着したミルクカスを落とす哺乳びん洗浄具に関するものである。
【背景技術】
【０００２】従来、使用後の哺乳びんに付着したミルクカスを落とす方法としては柄の先にブラシ毛やスポンジ体を取り付けた器具で擦り取る方法が知られている。しかし、この方法では、哺乳びんの底や、内壁、肩口を万遍なく洗浄するには相当の時間、手間がかかるだけでなく、乳首を洗浄するには乳首専用の洗浄具が別途必要であるという問題があった。
【発明の開示】
【発明が解決しようとする課題】
【０００３】本発明の技術的課題は、上述した問題を解消するため、使用後の哺乳びんに付着したミルクカスを簡単、迅速、確実に洗浄するための洗浄具を提供することである。
【課題を解決するための手段】
【０００４】上記課題を解決するため、本発明はポリエステルフィルムの平線を凹凸状に編んだ生地でポリエステル綿等を包んだ、含水性及び弾性を有する洗浄体に細い紐を取り付け、紐のもう片方の端に吊り輪を設ける。【０００５】上述の洗浄体を、哺乳びん・食器洗い（洗剤）と共に哺乳びんの中に入れて哺乳びんを振ることにより洗浄体の圧縮、復元運動で洗剤の泡生成を促し、多量に生成された泡が哺乳びんと乳首内部に充満して、付着したミルクカスを落とすことを特徴とする構成とする。
【発明の効果】
【０００６】本発明の洗浄具は哺乳びんを激しく振ることにより洗剤の泡を多量に生成し、哺乳びん内部に付着したミルクカスと乳首に付着したミルクカスを同時に簡単、迅速、確実に洗浄することができ、洗浄後の洗浄体は、取り付けた紐を引くことで容易に外部に取り出せるという効果がある。
【発明を実施するための最良の実施の形態】
【０００７】図１は本発明の実施例の斜視図で、ポリエステルフィルムの平線を凹凸状に編んだ摺擦力のある生地でポリエステル綿等を包んだ、含水性及び弾性を有する洗浄体１に細い紐２を取り付け、紐２のもう片方の端に吊り輪３を設ける。洗浄体１を包む生地は通水性が良く摺擦力のある素材が求められる。洗浄体１に入れる素材としては含水性、弾性があることが必要で、連続気泡のポリウレタンフォームを内蔵するとより効果が高い。
【０００８】図２は本発明の使用状態を表す斜視図で、上述のように構成した洗浄体１と適量の哺乳びん・食器洗い（洗剤）を、使用後のミルクカスが付着した哺乳びん４の中に入れる。次に吊り輪３を、乳首５とキャップ６の間を通した後、キャップ６を回して乳首５を哺乳びん４に装着する。
【０００９】上述した状態では洗浄体１内部のポリエステル繊維の間に無数の洗剤による膜が張られた状態になっており、哺乳びん４を手に持って激しく振ると、洗浄体１は哺乳びんの内壁に衝突し、その反作用により洗浄体１が圧縮されて空気を押し出すことで洗剤の膜から多数の泡が生成する。次に洗浄体１はその弾性により瞬時に自ら復元しながら空気と洗剤を内部に取り込む。
【００１０】この洗浄体１の圧縮・復元の繰り返しにより短時間に多量の泡が生成され哺乳びん４の内部に充満し、即ち洗剤の泡と生地の摺擦力の相乗効果でミルクカスをきれいに落とすことができる。泡は乳首５にも流入して激しく振動することで乳首５内部に付着したミルクカスも同時に落とすことができる。
【００１１】洗浄後の洗浄体１は、洗浄体１に取り付けた紐２を引くことで、哺乳びん４から容易に外部に取り出すことができる。
【図面の簡単な説明】
【００１２】
【図１】本発明の斜視図である。
【図２】本発明の使用状態の斜視図である。
【符号の説明】
【００１３】１  洗浄体
２  紐
３  吊り輪
４  哺乳びん
５  乳首
６  キャップ
【図１】
2006167419.tif 000003
【図２】
2006167419.tif 000004
(57)【要約】【課題】  従来の靴底では皮革で一部を巻き上げたり、巻き上げたとしてもしわが寄っていたので、デザインが一定の形になっていた。又、ゴムやウレタン製の底では、通気性が悪く蒸れ易かった。【解決手段】  皮革を水、薬品に浸けて整形する。水、薬品を浸ける事によって、しわがなくなる。整形するに与って汚れが付かないようにする。整形した後に十分乾燥させて、周り全体をカットする。その後、型崩れなどを防止する為に薬品でコーティングする。【選択図】  図１
2006167420.tif 000002
【特許請求の範囲】
【請求項１】
皮革を整形する為に、皮革を水、薬品に浸けて、継ぎ目なく立体的に巻き上げ整形する。
【発明の詳細な説明】
【発明の詳細な説明】
【技術分野】
【０００１】  本発明は、皮革を立体的にしわや継ぎ目なく巻き上げ整形する靴底に関するものである。
【背景技術】
【０００２】  従来の靴底では皮革で一部を巻き上げたり、巻き上げたとしてもしわが寄っていたので、デザインが一定の形になっていた。又、ゴムやウレタン製の底では、通気性が悪く蒸れ易かった。
【発明が解決しようとする課題】
【０００３】  しかしながら、皮革は厚みや堅さが区々なので、立体的に整形するのが困難であって、しわが寄るという問題点がある。
【課題を解決するための手段】
【０００４】  本発明は、皮革を水、薬品でしわなく整形して、カット、コーティングする事によって、上記課題を解決したものである。
【実施例】
【０００５】  本発明は、皮革を水、薬品に浸けて図１のように整形する。【０００６】  水、薬品に浸ける事によって、図１のようにしわがなくなる。【０００７】  整形するにあたって、汚れなどが付かないようにする。整形した後に十分乾燥させて、図２のように周り全体をカットする。【０００８】  その後、型崩れなどを防止する為に薬品でコーティングすると、図３のように完成する。
【発明の効果】
【０００９】  以上のように、請求項１記載の発明によれば、皮革で全体をしわや継ぎ目なく巻き上げている為、通気性が良く蒸れにくく出来る。又、デザイン上もすっきりとした印象を与え、高級感が得られ、様々な形の底が出来る。
【図面の簡単な説明】
【図１】  皮革の整形した外観図である。
【図２】  整形後のカットしている外観図である。
【図３】  整形、カット後の完成図である。
【図１】
2006167420.tif 000003
【図２】
2006167420.tif 000004
【図３】
2006167420.tif 000005
(57)【要約】      （修正有）【課題】注射針からの漏れを監視できながら、患者が快適な状態で長時間の点滴や人工透析等を受けることが出来るようにすること。【解決手段】この目的を達成するために、本発明の患者保温カバーは、患者の片腕を入れることが出来る細長い保温袋１の一側部に穿刺可能な部位を露にする開口部２を設け、その開口部２を覆う透明シート３を開閉自在にして前記保温袋１の外側に取り付けてあるとともに、前記透明シート３と前記保温袋１との間に、前記開口部２を閉じたときに前記透明シート３が、前記保温袋１内にある患者の腕に触れないように間隔を保つスペーサ４を設けてあることを特徴とする構成を採用した。【選択図】図１
2006167415.tif 000002
【特許請求の範囲】
【請求項１】
患者の片腕を入れることが出来る細長い保温袋（１）の一側部に穿刺可能な部位を露にする開口部（２）を設け、その開口部（２）を覆う透明シート（３）を開閉自在にして前記保温袋（１）の外側に取り付けてあるとともに、前記透明シート（３）と前記保温袋（１）との間に、前記開口部（２）を閉じたときに前記透明シート（３）が、前記保温袋（１）内にある患者の腕に触れないように間隔を保つスペーサ（４）を設けてあることを特徴とする患者保温カバー
【請求項２】
前記請求項１に記載の患者保温用カバーにおいて、前記開口部（２）が、穿刺可能な部位全体を露にする長さを有し、内部の腕の上側と下側の何れにも回り込ませることができる複数のシート（５）が前記開口部（２）に対向する位置で、前記保温袋（１）内に併置されていることを特徴とする患者保温カバー
【発明の詳細な説明】
【技術分野】
【０００１】  本発明は、長時間の点滴や人工透析等のときに患者を保護するために使用するカバーに関する。
【背景技術】
【０００２】  長時間の点滴や人工透析等の注射針を長時間患者に留置する必要のある場合は、注射針から漏れがないかを監視する必要上、患者の腕は暴露された状態で放置されることとなる。
またこのような治療を受けている場合は、患者は腕を動かすようなことができず、例え室内が適度な温度に保たれていたとしても、過冷感を感じざるを得ない。
【発明の開示】
【発明が解決しようとする課題】
【０００３】
【０００４】  本発明は、このような実情にかんがみ、注射針からの漏れを監視できながら、患者が快適な状態で長時間の点滴や人工透析等を受けることが出来るようにすることを目的とする。
【課題を解決するための手段】
【０００５】  この目的を達成するために、本発明の患者保温カバーは、患者の片腕を入れることが出来る細長い保温袋（１）の一側部に穿刺可能な部位を露にする開口部（２）を設け、その開口部（２）を覆う透明シート（３）を開閉自在にして前記保温袋（１）の外側に取り付けてあるとともに、前記透明シート（３）と前記保温袋（１）との間に、前記開口部（２）を閉じたときに前記透明シート（３）が、前記保温袋（１）内にある患者の腕に触れないように間隔を保つスペーサ（４）を設けてあることを特徴とする構成を採用した。
【発明の効果】
【０００６】  このように構成することにより、保温状態で治療を受けることが出来るのみならず、透明シートを介して、常に穿刺部を監視することが出来るようになった。
さらに、スペーサにより透明シートが患者に触れることがないので、プラスチック等の異質な部材の接触による不快感や場合によっては皮膚疾患などを生じる恐れもなくなった
【発明を実施するための最良の形態】
【０００７】  以下に、本発明の最良の実施形態を例示するが、本発明はこれによって限定されるものではない。
なお、図中、点線は縫合線である。
【課題を解決するための手段】
さらに、前記開口部（２）が、穿刺可能な部位全体を露にする長さを有し、内部の腕の上側と下側の何れにも回り込ませることができる複数のシート（５）が前記開口部（２）に対向する位置で、前記保温袋（１）内に併置されていることを特徴とする構成を採用することにより以下の効果を発揮する。
【発明の効果】
このようにすることにより、穿刺部位を自由に選べると共に、ｊ注射針を刺さない箇所は、シートにより覆い隠すことができることとなる。
よって、治療面での自由度を確保しながら、患者の保温を十分に行えるようになった。
【実施例】
【０００８】  （１）は保温袋で肌触りの良い保温性のある布で円筒状に形成してある。
長さは、患者の腕の略全長が入る長さにしてあり、その先端部（手に近い側）は、ゴムで収縮する締め部（１０）が設けてある。
このようにして、点滴や人工透析時に衣服から出される部位を保温することが可能となった。
（２）は、穿刺可能な部位の全長を露にする開口部であって、前記保温袋（１）の一側部に設けてある。
この開口部（２）は、その外側に位置する透明シート（３）により覆われるようになっている。
前記透明シート（３）は一側部を前記保温袋（１）に縫合し、他側部を面着テープ（３０）（３１）により前記保温袋（１）の外側に着脱自在に固定できるようにしてある。
このようにして、前記開口部（２）を外側から開閉自在に閉止できるようにしてある。また、前記開口部（２）の周囲には、肉厚のスペーサ（４）が設けてある。
このスペーサ（４）は、軟質のチューブ（４０）を、開口部（２）の周囲に逢い付けたもので、閉止状態の透明シート（３）を保持し、内部の腕（Ａ）に触れないようにしてある。
（５）は、前記保温袋（１）の内部に設けた複数のシートであって、前記保温袋（１）と同様な材質で作ってある。
前記開口部（２）を３分割する長さを有し、前記保温袋（１）の略半周に相当する幅を有して保温袋（１）の上下中央部に両端を縫合してある。
このようにして、内部の腕（Ａ）の上下何れの側に位置しても保温袋（１）に大きな変形を生じないようにして、穿刺部に対応するもののみを腕（Ａ）の下側にしその他のものを上側に配して保温効果をより良好に維持するようにしてある。
【産業上の利用可能性】
【０００９】  本発明は、人工透析や点滴などの作業性や管理に支障を生じないようにしながら、長時間の静止を余儀なくされる患者の腕を保温し、患者の不快感を軽減することができるものである。
【図面の簡単な説明】
【００１０】
【図１】  本発明を示す平面図
【図２】  図１のＡ−Ａ線縦断拡大図
【符号の説明】
【００１１】（１）  保温袋
（１０）  締め部
（２）  開口部
（３）  透明シート
（３０）（３１）  面着テープ
（４）  スペーサ
（４０）  チュープ
（５）  シート
（Ａ）  腕
【図１】
2006167415.tif 000003
【図２】
2006167415.tif 000004
(57)【要約】      （修正有）【課題】鼻うがい（洗浄液を鼻から吸って、口から吐き出す鼻腔洗浄法）が、少量の洗浄液で効率よく、かつ容易にできる鼻うがい用コップ。【解決手段】鼻全体を覆う形状の弾力性のある鼻うがい用コップに洗浄液を入れ、顔面に密着させて用いることにより、洗浄液をこぼすことなく、上向きの姿勢で容易に鼻うがいができる。コップ本体１の縁の一方を、鼻を覆う曲線で形成し、他方を一部内側におりこみ、凹面２を形成する。使用者の鼻のサイズに係らず、コップを顔面に密着可能である。【選択図】図１
2006167411.tif 000002
【特許請求の範囲】
【請求項１】
鼻全体を覆う形状で、顔面に密着させられる、弾力性のある鼻うがい用コップ。
【発明の詳細な説明】
【技術分野】
【０００１】本発明は、鼻うがい（洗浄液を鼻から吸い込み、口から吐き出す鼻腔洗浄法）を、少量の洗浄水（塩水等）で、効率よく容易に行うための鼻うがい用コップに関する。
【背景技術】
【０００２】従来、少量の洗浄液で、容易に鼻うがいをするためのコップはなかった。
【発明の開示】
【発明が解決しようとする課題】
【０００３】鼻うがいで鼻腔を洗浄するためには、洗面器や茶碗に先浄液を入れて、手ですくったり、直接鼻をつけて啜っていた。そのために、顔を下向きにして洗浄液を吸い込む必要があり、鼻うがいはやりづらいという問題点があった。
【課題を解決するための手段】
【０００４】鼻全体を覆う形状で、顔に密着させられる、弾力性のある鼻うがい用コップ。
【発明を実施するための最良の形態】
【０００５】図１に基づいて説明すると、コップ本体１の縁の一方を、鼻を覆う曲線で形成し、他方を一部内側におりこみ、凹面２を形成する。これによって、使用者の鼻のサイズに係らず、コップを顔面に密着させることが可能となる。
【実施例】
【０００６】図４は、本発明の使用方法を現したイメージ図であるが、首の角度を更に上向けることによって、コップに入れた洗浄液を鼻腔から流し込め、鼻うがいのやりづらさのといわれる洗浄液の吸い込みが容易に出来る。
【発明の効果】
【０００７】本発明の鼻うがい用コップに洗浄液を入れ、顔に密着させることにより、洗浄水をこぼすことなく、上向きの姿勢で洗浄液を吸い込め、容易に鼻うがいができる。
【産業上の利用可能性】
【図面の簡単な説明】
【０００８】
【図１】斜面図  鼻うがい用コップ本体をしめす斜面図である。
【図２】平面図  鼻うがい用コップ本体をしめす平面図である。
【図３】側面図  鼻うがい用コップ本体をしめす側面図である。
【図４】イメージ図  鼻うがい用コップの使用方法をしめすイメージ図である。
【符号の説明】
【０００９】１  鼻うがい用コップ本体
２  凹面
【図１】
2006167411.tif 000003
【図２】
2006167411.tif 000004
【図３】
2006167411.tif 000005
【図４】
2006167411.tif 000006
(57)【要約】【課題】  スイングの一連の動作で、小さい軌道から大きな軌道に変わり楕円軌道で振れることで、最短距離で体の回転での振り出しと遠くにボールを運ぶための力強いブレのない安定したフォームを体得することを目的とした素振り練習器を提供する。【解決手段】  シャフトの基端部と先端部に部材を設け、そのシャフトの軸方向に沿って移動可能なグリップを設ける。一連の動作でグリップは先端部から基端部に移動して支点が変わり、小さい軌道から大きな軌道に変わる。【選択図】図１
2006167477.tif 000002
【特許請求の範囲】
【請求項１】
シャフトの基端部と先端部に部材が設けられ、その軸方向に沿って移動可能なグリップが設けられた素振り練習機において、素振りをした時に前記グリップが先端部側から基端部側に移動して支点がかわり、一連の動作で小さい軌道から大きい軌道に変わる楕円軌道で振れることを特徴とする素振り練習器。
【発明の詳細な説明】
【技術分野】
【０００１】  本発明は、野球、テニス、ゴルフ、卓球など打撃用具を使用してボールを打撃する球技の素振り練習において、技術の向上をはかるため、あるいは運動不足解消のため、誰でもどこでも使用できる素振り練習器に関するものである。
【背景技術】
【０００２】  一般に野球、、テニス、ゴルフ、卓球などの素振り練習は、単にバットやラケットまたは遠心力を効かせた練習器を振るのみであった。
【発明の開示】
【発明が解決しようとする課題】
【０００３】  しかし、前述した打撃用具での素振り練習では、支点が一定のため円軌道になりやすく、スイングで大切な振り出しは最短距離でインパクトから大きく振る「内から外へ」の楕円軌道のスイングを習得することは非常に困難であった。また、先端部に重心があるため遠回りになりやすく、意識しないと脇が締まらず手打ちになりやすいという問題点があった。【０００４】  また、おもりが移動する素振り練習器においては、おもりが遠心力で基端部側から先端部側に移動するため遠回りになりやすいという欠点があった。【０００５】  例えば野球の打撃練習においては、短いバットはボールを確実に捉えるのに適していて、長いバットは、遠心力を生かせるのでボールを遠くに飛ばすのに適している。この２つの異なった打撃術をスイングの一連の動作でできる素振り練習器が求められていた。
【課題を解決するための手段】
【０００６】  本発明は課題を解決するために、請求項１に係る本発明の素振り練習器の特徴は、シャフトの基端部と先端部に部材を設け、そのシャフトの軸方向に沿って移動可能なグリップが設けられた素振り練習器において、振り出し時にグリップは先端部側にあり、一連のスイング動作でグリップは先端部側から基端部側へ移動して支点が変わり小さい軌道から大きな軌道に変わる構造とした。
【発明の効果】
【０００７】  請求項１に係る本発明の素振り練習器によれば、スイングの一連の動作で、小さい軌道から大きな軌道の変化で、意識してもなかなか体得するのが困難であった内から外（インサイドアウト）のスイングを容易に体得することができ、打撃の技術向上をはかることができる。【０００８】  また、小さい軌道の速いスピードのままインパクトで支点が変わりさらに大きな遠心力で加速されるため、スイングスピードが大幅にアップする。【０００９】  例えば野球の素振り練習の場合では構えた時は短いバットの下におもりがついた様な状態となり、ヘッド側が軽く下部に重心があるため下半身から始動しやすく、自然に脇が締まり体の回転で振れる軸のブレない安定したフォームづくりができる。【００１０】  さらに、グリップが先端部から基端部に移動して基端部に当たった時に発生する音が少しでもバットが外側からでると早く音が鳴るため、前方で音を鳴らそうと意識するだけで、コンパクトに最短距離でバットを出す感覚を自然に体得することができる。【００１１】  例えば野球の場合、一連の動作で振り出しは短いバット、インパクトから長いバットに変わるため、体の自然な使い方を体得。最短距離で振り出すことができ、速いボール遅いボールどちらにも対応できるようになり、ミート力が向上。インパクトから大きな軌道を描くことができるため、遠くにボールを運べるようになり、打率と飛距離アップが実現できるようになる。【００１２】  遠心力でおもりが基端部側から先端部側に移動する練習機は遠回りになりやすいという欠点があったが、請求項１係る本発明の素振り練習器によれば、逆にグリップが先端部から基端部に移動するため、内回りとなり軸回転でブレのない力強い安定したフォームを体得することができる。
【発明を実施するための最良の形態】
【００１３】  以下、本発明を図面に示す実施形態により説明する。【００１４】  図１から図２は本発明に係る素振り用練習器を適用した素振り用バットの実施形態を示すものであり、図１は全体構成を示す図、図２は実際に使用した時の状態を示す図である。【００１５】  本実施形態の素振り用練習器は、野球用の素振りバットを例示している。【００１６】  図１に示すように、本実施形態の素振り練習器としての野球の素振りバット１は、直線状に形成されたシャフト２を有している。このシャフト２の先端部ヘッド被打撃部材３が設けられている。シャフト２の基端部被打撃部材エンド５が設けられている。シャフト２の外周方向に沿って移動可能なグリップ４が設けられている。【００１７】本実施形態のシャフト２はステンレスパイプのような材料により、例えば外径が１９ｍｍ程度肉厚が１ｍｍ程度、長さ１ｍ程度の筒状に形成されている。先端部ヘッド３と基端部エンド５はシャフト２に固定ピンが径方向に貫通するようにしっかりと固定されている。
スムーズにグリップが移動できるようにシャフト２とグリップ４との間の隙間を１ｍｍ程度にしている。最短距離で振り出せるようにグリップ４の移動距離は８ｃｍから１０ｃｍ程度にしている。中におもりを内蔵してバランスがセンターにくるようにしている。
【実施例】
【００１８】  図２は実際使用した時の状態の図を説明する。構えた状態１にはグリップ４が先端部側３にあるため、短いバットにおもりがついた様な状態になり（小さい軌道で）最短距離で振り出すことができる。ミートポイント時にグリップは先端部側３から基端部側５に移動し長いバットに変わり大きな軌道を描き、小さい軌道の速いスピードで大きな軌道に変わるためスイングスピードがグーンとアップする。また、グリップ４が先端部側３から基端部側５に移動するため、内回りとなり体の軸を中心に回転するためブレのない力強い安定したフォームを体得することができる。
【図面の簡単な説明】
【００１９】
【図１】立体図
【図２】使用図
【符号の説明】
【００２０】  １．  素振り用バットの全体図
２．  シャフト
３．  先端部（ヘッド）
４．  グリップ
５．  基端部（エンド）
６．  構えた状態
７．  ミートポイント時
【図１】
2006167477.tif 000003
【図２】
2006167477.tif 000004
(57)【要約】      （修正有）【課題】現場作業時に着用する一般的な防塵・防毒マスクに関するもので、まず、使用時に、どのような場合でも、マスクが顔に与える圧力が変わらないようにするとともに、マスクをヘルメットに装着したためにヘルメットが頭からずれないようにする。さらに、マスクを簡単にヘルメットに装着できるようにする。【解決手段】ストッパーをヘルメットに取り付けるとき、ゴムバンド９が耳に触れないように、なるべく後方に位置を決め、次にマスクが顔に与える圧力を本人にあうように、調整コア１２を用いてゴムバンドの長さを調整する。さらに、ストッパーの落下紛失防止のために、ストッパーとヘルメットを落下防止ひも１１で結ぶ。【選択図】図７
2006167422.tif 000002
【特許請求の範囲】
【請求項１】
ワンループ形状のゴムバンドを装着した防塵・防毒マスク。
【請求項２】
ヘルメットのヘリの後方左右２ヶ所に、ゴムバンドずれ落ち防止用ストッパーを取り付けたもの。
【発明の詳細な説明】
【発明の詳細な説明】
【０００１】［発明の属する技術分野］  この発明は、現場作業時に着用する防塵・防毒マスク（以下、マスクと略称する）に関するもので、今日では作業環境によって着用が義務づけられている。従来のマスクは用いているゴムバンドに門題点があり、その欠点を、簡単なワンループ形状にすることにより解決したものである。
【０００２】［従来の技術］  従来の代表的なマスクを説明するために、まず図１、図２、図３にヘルメットをかぶったときの普通の状態、図４、図５、図６に一般的なマスクを着用したときの状態を示した。従来は、マスクを顔に着用するときに、まず、ゴムバンド４を首にかけながらマスクを顔にあてる。次に、付属のバンド５をヘルメット前方にかけ、次にゴムバンド６を付属のベルト５と調整しながらヘルメット後方にかけ、顔にあたる圧力や位置を調整してきた。
【０００３】［発明が解決しょうとする課題］  従来の方法での問題点は３点あり、マスクを着用して、まず、首を上にあげたとき、図４のゴムバンド４にマスクを引っ張る力が発生して、マスクが顔に与える圧力があがって不快感を与える。次に首を下にさげたとき、逆にゴムベルト４がゆるんで、マスクと顔の間にすき間ができる場合が生じ、機能上大きな欠陥をもっていること。次に図４のゴムベルト７がヘルメットを顔の前方に引っ張る力が働くためにヘルメット８のように顔の前方にずらして視界を妨げること。次に図４のゴムバンド４、６、７と付属のバンド５をマスクを着用する毎に、顔に与える圧力や位置を調整しなければならないので、わずらわしさと時間がかかることである。
【０００４】［課題を解決するための手段］  本発明は、図７、図８、図９のゴムバンド９のように、ゴムバンドを簡単なワンループ形状とし、そのゴムバンドがヘルメットからずれ落ちないように、ヘルメットのヘリの後方左右２ケ所に、ストッパーを取り付けるようにしたものである。
【０００５】［発明の効果］  本発明は、図４のゴムバンド４に相当する部分がなく、ゴムバンドが首より上のヘルメットにおさまっているので、首をどのように動かしてもマスクとゴムバンドとヘルメットの位置関係が全く変わらず、余分な力が発生しないので、マスクが顔に与える圧力が一定で不快感を与えない。次に図４のゴムバンド７に相当する部分がないので、ヘルメット８のように前方にずれて視界を妨げることがない。そして、むしろ、ゴムバンドがヘルメットの後方に位置しているために、ヘルメットを上向きにする力が発生して、ヘルメットが前方にずれることを防ぐ効果さえ発生する。さらに、図７、図８、図９のゴムバンド９のように、ゴムバンドがワンループ形状であるために、一度調整コア１２を用いてマスクが顔に与える圧力を本人の好みに合わせてゴムバンドの長さを調整しておけば、マスクの着用がワンタッチですみ簡単であり、毎回の調整がいらない。このように、ゴムバンドをワンループ形状にするだけで、問題点であった３点を一度に解決できると同時に、ヘルメットが前方にずれることを防ぐ効果さえ発生する。
【０００６】［発明の実施の形態］  本発の実施に際しての注意点は、まず、ストッパーをヘルメットに取り付けるとき、図７のゴムバンド９が耳に触れないように、なるべく後方に位置を決めること。これは、ゴムバンドが耳に触れると不快感を与えるためである。次にマスクが顔に与える圧力を本人にあうように、図７、図８の調整コアを用いてゴムバンドの長さを調整することである。さらに、ストッパーの落下紛失防止のために図７、図９のように、ストッパーとヘルメットを落下防止ひも１１で結ぶようにする。
【図面の簡単な説明】
【図１】従来のヘルメットをかぶった、普通の状態の側面図
【図２】図１を正面から見た正面図
【図３】図１を右から見た背面図
【図４】図１に従来の一般的な防塵・防毒マスク（以下マスクと略称する）を着用したときの側面図
【図５】図４を正面から見た正面図
【図６】図４を右側から見た背面図
【図７】本発明のマスクを着用したときの側面図
【図８】図７を正面から見た正面図
【図９】図７を右側から見た背面図
【図１０】図７、図９の様にストッパーを取り付けたときのヘルメットのヘリの拡大図
【図１１】図１０のストッパーの一例の拡大図
【符号の説明】
１  ヘルメット  ２  あごひも  ３  マスク  ４  ゴムバンド７、ゴムバンド６とつながっているゴムバンド  ５  ゴムバンド７、ゴムバンド６とからんでいる付属のバンド  ６  ゴムバンド７、ゴムバンド４とつながっているゴムバンド  ７  ゴムバンド４、ゴムバンド６とつながっているゴムバンド  ８  前方にずれたときのヘルメット  ９  ワンループ形状のゴムバンド１０  ストッパー１１  紛失防止ひも１２  調整コア１３  紛失防止ひもの通し穴１４  ストッパーのグリップ効果用ギザギザ
【図１】
2006167422.tif 000003
【図２】
2006167422.tif 000004
【図３】
2006167422.tif 000005
【図４】
2006167422.tif 000006
【図５】
2006167422.tif 000007
【図６】
2006167422.tif 000008
【図７】
2006167422.tif 000009
【図８】
2006167422.tif 000010
【図９】
2006167422.tif 000011
【図１０】
2006167422.tif 000012
【図１１】
2006167422.tif 000013
(57)【要約】【課題】  お墓の線香立ては、一つ穴があいているだけでその中に燃え残りの線香が残ってしまい掃除もたいへんである。その為に、燃え残りが残らず掃除も楽にできるようにするのが目的である。【解決手段】線香の燃え残りをなくす為に、差し込み部分を土台からすこし上げることによって、完全に燃焼してしまい、燃えカスは、すべて土台の受け皿に落ちるので掃除も楽にできます。【選択図】図１
2006167421.tif 000002
【特許請求の範囲】
【請求項１】
線香立ての差し込みの部分を土台からすこし上げた、線香立て。
【発明の詳細な説明】
【発明の詳細な説明】
【あらまし】
線香の支える部分を土台からすこし離した線香立てに関するものである。
【従来の欠点】
線香立ての差し込み部分に、燃え残りの線香がつまってしまい、掃除しにくいし、燃え残りも出てしまいます。
【構成】
素材を燃えない物質でつくり、加工しやすい方法で製品化します。
【作用・効果】
もち運びができ、線香がきれいに燃えるので掃除も楽で、水洗いもできます。
【図面の簡単な説明】
【図１】線香立ての出願斜視図
【図２】線香立ての平面図
【符号の説明】
（１）は差し込み部分を土台から離したために現われる線香の底部。
（２）は差し込みの部分を土台から離すための柱の部分。
【図１】
2006167421.tif 000003
【図２】
2006167421.tif 000004